(57)【特許請求の範囲】
【請求項１】
施設内の設備に対して設定された管理ポイントを監視および制御する施設監視制御装置であって、
前記施設のグラフィックス画面を表示する施設図面表示部と、
前記施設に存在する前記管理ポイントのシンボルを、前記グラフィックス画面上に表示するシンボル表示部と、
前記管理ポイントを操作するための一括操作ボックス画面を表示し、操作員から、前記グラフィックス画面上に表示された前記シンボルを前記一括操作ボックス画面へ移動する指示を受け付けると共に、当該移動する指示を受け付けた１つ以上の前記シンボルに対応する１つ以上の前記管理ポイントを一括で操作する指示を受け付ける一括操作ボックス表示部であって、前記移動する指示を受け付けた１つ以上の前記シンボルに対応する１つ以上の前記管理ポイントの中に、種類または現在の状態が異なるものが混在する場合、前記一括操作ボックス画面には移動せず、前記操作員に通知する前記一括操作ボックス表示部とを備えることを特徴とする施設監視制御装置。
【請求項２】
施設内の設備に対して設定された管理ポイントを監視および制御する施設監視制御方法であって、
前記施設のグラフィックス画面および前記管理ポイントを操作するための一括操作ボックス画面が表示された状態において、前記グラフィックス画面上に表示された前記管理ポイントを表すシンボルを前記一括操作ボックス画面へ移動する指示を、操作員から受け付けるステップと、
前記移動する指示を受け付けた１つ以上の前記シンボルに対応する１つ以上の前記管理ポイントを一括で操作する指示を、前記操作員から受け付けるステップと、
前記移動する指示を受け付けた１つ以上の前記シンボルに対応する１つ以上の前記管理ポイントの中に、種類または現在の状態が異なるものが混在する場合、前記一括操作ボックス画面には移動せず、前記操作員に通知するステップとを備えることを特徴とする施設監視制御方法。
【発明の詳細な説明】
【技術分野】
【０００１】
この発明は、施設内の設備に対して設定された管理ポイントを監視および制御する施設監視制御装置および施設監視制御方法に関するものである。
【背景技術】
【０００２】
従来、プラント、テナントビルおよびホテルなどの施設内の設備機器を監視制御する施設監視制御装置では、操作員が機器表示または一覧表示等の機器操作に必要な画面を表示する方法として、グラフィックス表示画面上の機器表示シンボルに割付けられたタグをキーに用いて関連画面情報データベースから表示画面データを検索し、表示する方法があった（例えば、特許文献１参照）。
【０００３】
また、図面情報上に表示された任意のシンボルに対する所定操作に応じて、当該シンボルの設備に関する詳細な情報を記憶部から選択し、表示する方法があった（例えば、特許文献２参照）。
【先行技術文献】
【特許文献】
【０００４】
【特許文献１】特開２００２−１８２７３９号公報
【０００５】
【特許文献２】特開２００５−２８５００４号公報
【発明の概要】
【発明が解決しようとする課題】
【０００６】
従来の施設監視制御装置は以上のように構成されているので、操作員は、グラフィックス画面上のシンボルを操作して、シンボルに関連付けられた設備の表示画面を表示させ、表示画面から設備の運転や停止などの操作を行うことになる。このため、例えば５台の設備を運転させたい場合、操作員は、該当するシンボルを５回操作して、１台ずつ運転操作を行う必要があった。
【０００７】
この発明は、上記のような課題を解決するためになされたもので、１台以上の設備をまとめて操作可能な施設監視制御装置および施設監視制御方法を提供することを目的とする。
【課題を解決するための手段】
【０００８】
この発明に係る施設監視制御装置は、施設内の設備に対して設定された管理ポイントを監視および制御する施設監視制御装置であって、施設のグラフィックス画面を表示する施設図面表示部と、施設に存在する管理ポイントのシンボルを、グラフィックス画面上に表示するシンボル表示部と、管理ポイントを操作するための一括操作ボックス画面を表示し、操作員から、グラフィックス画面上に表示されたシンボルを一括操作ボックス画面へ移動する指示を受け付けると共に、当該移動する指示を受け付けた１つ以上のシンボルに対応する１つ以上の管理ポイントを一括で操作する指示を受け付ける一括操作ボックス表示部であって、移動する指示を受け付けた１つ以上のシンボルに対応する１つ以上の管理ポイントの中に、種類または現在の状態が異なるものが混在する場合、一括操作ボックス画面には移動せず、操作員に通知する一括操作ボックス表示部とを備えるものである。
【０００９】
この発明に係る施設監視制御方法は、施設内の設備に対して設定された管理ポイントを監視および制御する施設監視制御方法であって、施設のグラフィックス画面および管理ポイントを操作するための一括操作ボックス画面が表示された状態において、グラフィックス画面上に表示された管理ポイントを表すシンボルを一括操作ボックス画面へ移動する指示を、操作員から受け付けるステップと、移動する指示を受け付けた１つ以上のシンボルに対応する１つ以上の管理ポイントを一括で操作する指示を、前記操作員から受け付けるステップと、移動する指示を受け付けた１つ以上のシンボルに対応する１つ以上の管理ポイントの中に、種類または現在の状態が異なるものが混在する場合、一括操作ボックス画面には移動せず、操作員に通知するステップとを備えるものである。
【発明の効果】
【００１０】
この発明によれば、施設のグラフィックス画面から一括操作ボックス画面へ移動された１つ以上のシンボルに対応する１つ以上の管理ポイントに対する操作指示を一括で受け付けるようにしたので、１つ以上の管理ポイントをまとめて操作可能な施設監視制御装置および施設監視制御方法を提供することができる。
【図面の簡単な説明】
【００１１】
【図１】この発明の実施の形態１に係る施設監視制御装置の構成を示すブロック図である。
【図２】実施の形態１に係る施設監視制御装置が表示する画面例を示す図である。
【図３】実施の形態１に係る施設監視制御装置の一括操作ボックス表示部の動作を示すフローチャートである。
【発明を実施するための形態】
【００１２】
実施の形態１．
図１は、この発明の実施の形態１に係る施設監視制御装置１０の構成を示すブロック図である。図１に示す施設監視制御装置１０は、コンピュータを有する情報処理装置からなり、通信インタフェース（以下、通信Ｉ／Ｆ）部１１、表示部１２、入力部１３、記憶部１４、および制御部１５が設けられている。
【００１３】
通信Ｉ／Ｆ部１１は、通信ネットワークを介してコントローラ２０と接続されている。このコントローラ２０は、施設監視制御装置１０が監視制御対象とする施設に設置された設備に接続されている。
【００１４】
ここで、設備について説明する。
実施の形態１の施設監視制御装置１０は、設備の監視および制御を、管理ポイントに基づいて行うこととする。例えば空調設備の場合、空気調和機の運転と停止（発停）を管理する管理ポイント２１、空気調和機の温度設定値を示す管理ポイント２２、空気調和機の周囲温度の計測値を示す管理ポイント２３などが用意される。管理ポイントごとにアドレスが割り当てられ、施設監視制御装置１０とコントローラ２０は、アドレスに基づいて管理ポイントを識別する。施設監視制御装置１０が管理ポイント２１を「発」または「停」に設定すると、コントローラ２０が管理ポイント２１に対応する空気調和機の運転を開始または停止する。また、コントローラ２０は、管理ポイント２３の温度計測値が、施設監視制御装置１０により設定された管理ポイント２２の温度設定値になるよう、空気調和機を制御する。さらに、コントローラ２０は、管理ポイント２３の温度計測値を施設監視制御装置１０へ通知する。
管理ポイント２４は排気ファンの発停を監視および制御する管理ポイント、管理ポイント２５は給気ファンの発停を監視および制御する管理ポイントとする。
なお、設備は空調設備に限定されるものではなく、照明設備や給排水設備などでもよい。
【００１５】
表示部１２は、表示装置からなり、制御部１５からの指示に応じて各種情報を画面表示する。
入力部１３は、マウスやタッチセンサなどの操作入力装置からなり、操作員の操作指示を検出して制御部１５へ入力する。
【００１６】
記憶部１４は、ハードディスクやメモリなどの記憶装置からなり、制御部１５による読み書きが可能である。この記憶部１４は、表示情報１４ａとして、施設のグラフィックス画面、施設に設置された設備の管理ポイントを表したシンボル、管理ポイントの操作画面を表した一括操作ボックス画面および操作ガイドなどの情報を記憶している。また、管理情報１４ｂとして、管理ポイントの名称、アドレス、配置位置、および種類（発停点、設定点など）の情報を記憶している。管理ポイントの種類が発停点の場合、管理情報１４ｂには制御部１５により操作された現在の状態（「発」か「停」か）が含まれ、設定点の場合は制御部１５により設定された現在の設定値が含まれ、計測点の場合はコントローラ２０から制御部１５へ通知された計測値が含まれる。
【００１７】
制御部１５は、ＣＰＵ（Ｃｅｎｔｒａｌ  Ｐｒｏｃｅｓｓｉｎｇ  Ｕｎｉｔ）などからなり、所定のプログラムを実行することにより、各種機能を実現する。各種機能としては、施設図面表示部１５ａ、シンボル表示部１５ｂ、一括操作ボックス表示部１５ｃ、および一括操作実行部１５ｄがある。
【００１８】
図２に、表示部１２が表示する画面例を示す。以下、図２を参照しながら、制御部１５の各種機能の一例を説明する。
【００１９】
施設図面表示部１５ａは、入力部１３を介した操作員の操作指示に応じて、記憶部１４の表示情報１４ａから施設のグラフィックス画面を読み出し、表示部１２に表示させる。
シンボル表示部１５ｂは、施設図面表示部１５ａが施設のグラフィックス画面を表示させる際、記憶部１４の管理情報１４ｂに基づいて、施設に配置されている設備の管理ポイントを抽出する。そして、シンボル表示部１５ｂは、抽出した管理ポイントを表すシンボルを、記憶部１４の表示情報１４ａから読み出し、管理ポイントの配置位置に基づいて施設のグラフィックス画面上に配置する。
【００２０】
図２では、施設のグラフィックス画面１００の一例として平面図を示す。グラフィックス画面１００の上に表示されている空気調和機ＡＣＰ１の図形シンボルが発停の管理ポイント２１を表し、給気ファンＦＳ１の図形シンボルが発停の管理ポイント２４を表し、排気ファンＦＥ１の図形シンボルが発停の管理ポイント２５を表す。シンボルは図形に限らず、文字列などでもよい。「設定２７℃」の文字列シンボルが温度設定値の管理ポイント２２を表し、「計測２８℃」の文字列シンボルが温度計測値の管理ポイント２３を表す。
【００２１】
図２では、グラフィックス画面の一例として、施設の平面図を示したが、これに限らず、例えば施設内の管理ポイントの一覧を表したリストなどを表示してもよい。この場合、シンボル表示部１５ｂは、リスト上に管理ポイントを表す文字列を表示し、この文字列をシンボルとして取り扱う。
【００２２】
一括操作ボックス表示部１５ｃは、入力部１３を介した操作員の操作指示に応じて、記憶部１４の表示情報１４ａから一括操作ボックス画面を読み出し、表示部１２に表示させる。一括操作ボックス表示部１５ｃは、施設のグラフィックス画面上に表示されている任意のシンボルに対する操作指示に応じて、このシンボルに対応する管理ポイントの情報を、記憶部１４の管理情報１４ｂから読み出し、一括操作ボックス画面上に表示させる。
ここで、シンボルに対する操作指示としては、施設のグラフィックス画面上に表示されているシンボルを一括操作ボックス画面上に移動する操作（ドラッグ・アンド・ドロップ）指示や、施設のグラフィックス画面上に表示されているシンボルを複数個選択してまとめて一括操作ボックス画面上に移動する操作指示がある。
一括操作ボックス表示部１５ｃは、１つの一括操作ボックス画面に対してドラッグ・アンド・ドロップされた１つ以上の管理ポイントをグループ化する。
【００２３】
図２では、管理ポイント２１を表した空気調和機ＡＣＰ１のシンボルが一括操作ボックス画面２００にドラッグ・アンド・ドロップされると、一括操作ボックス画面２００上に、この管理ポイント２１のアドレス「１２０１．２５」、配置位置「７階東側」、名称「ＡＣＰ１」が表示される。次に、管理ポイント２４を表した給気ファンＦＳ１のシンボルが一括操作ボックス画面２００にドラッグ・アンド・ドロップされると、一括操作ボックス画面２００上に、この管理ポイント２４のアドレス「１２０１．２６」、配置位置「７階東側」、名称「ＦＳ１」が表示される。次に、管理ポイント２５を表した排気ファンＦＥ１のシンボルが一括操作ボックス画面２００にドラッグ・アンド・ドロップされると、一括操作ボックス画面２００上に、この管理ポイント２５のアドレス「１２０１．２７」、配置位置「７階東側」、名称「ＦＥ１」が表示される。
【００２４】
また、管理ポイント２２を表した「設定２７℃」のシンボルが一括操作ボックス画面３００にドラッグ・アンド・ドロップされると、一括操作ボックス画面３００上に、この管理ポイント２２のアドレス「１１０２．０１」、配置位置「７階東側」、名称「温度設定値」が表示される。
【００２５】
なお、一括操作ボックス表示部１５ｃは、一括操作ボックス画面に最初にシンボルがドラッグ・アンド・ドロップされたとき、このシンボルに対応する管理ポイントの種類に応じた操作ガイドを、記憶部１４の表示情報１４ａから読み出し、一括操作ボックス画面上に表示する。
【００２６】
例えば、一括操作ボックス画面２００は、最初にドラッグ・アンド・ドロップされたシンボルが発停点の管理ポイント２１であるため、一括操作ボックス表示部１５ｃは、一括操作ボックス画面２００上に、「運転」「停止」のラジオボタンと「操作」ボタンからなる操作ガイド２０１を表示させる。
他方、一括操作ボックス画面３００は、最初にドラッグ・アンド・ドロップされたシンボルが設定点の管理ポイント２２であるため、一括操作ボックス表示部１５ｃは、一括操作ボックス画面３００上に、温度設定値を変更可能なプルダウンメニューと「確定」ボタンからなる操作ガイド３０１を表示させる。
【００２７】
一括操作ボックス画面２００，３００は、施設のグラフィックス画面１００上に配置せず、単独で起動できるようにし、複数の施設グラフィックス画面に跨って管理ポイントを選択可能にすることが好ましい。
【００２８】
また、一括操作ボックス表示部１５ｃは、誤操作を防止する目的で、１つの一括操作ボックス画面に対して異なる種類の管理ポイントを表すシンボルがドラッグ・アンド・ドロップされた場合に、ドロップ操作をキャンセルすると共に、操作員に注意を促す表示を表示部１２に行わせてもよい。例えば、発停点の一括操作ボックス画面に、設定点の管理ポイントを表すシンボルがドラッグ・アンド・ドロップされた場合、一括操作ボックス表示部１５ｃは表示部１２を介して操作員に通知する。
【００２９】
また、一括操作ボックス表示部１５ｃは、発停点の一括操作ボックス画面において、現在の状態（発か停か）に応じて管理ポイントの情報を色分け表示してもよい。さらに、異なる状態が混在する場合に、一括操作実行前に操作員に通知してもよい。
【００３０】
また、一括操作ボックス表示部１５ｃは、設定点の一括操作ボックス画面において、温度と湿度のように単位が異なる管理ポイントを表すシンボルがドラッグ・アンド・ドロップされた場合に、ドロップ操作をキャンセルすると共に操作員に通知してもよい。
【００３１】
なお、施設監視制御装置１０がスピーカなどの音声出力部を備えている場合には、上記通知を音声により行ってもよい。
【００３２】
一括操作ボックス画面２００の操作ガイド２０１において「運転」のラジオボタンが選択され「操作」ボタンが操作された場合、一括操作ボックス表示部１５ｃは、空気調和機ＡＣＰ１の管理ポイント２１、給気ファンＦＳ１の管理ポイント２４、および排気ファンＦＥ１の管理ポイント２５からなるグループに対する「発」の一括操作指示を、一括操作実行部１５ｄへ通知する。
他方、一括操作ボックス画面３００の操作ガイド３０１においてプルダウンメニューで「２６℃」が設定され「確定」ボタンが操作された場合、一括操作ボックス表示部１５ｃは、温度設定値の管理ポイント２２からなるグループに対する設定値変更の一括操作指示を、一括操作実行部１５ｄへ通知する。
【００３３】
一括操作実行部１５ｄは、一括操作ボックス表示部１５ｃから通知されたグループに対する一括操作指示を、通信Ｉ／Ｆ部１１を介してコントローラ２０へ出力する。コントローラ２０は、一括操作実行部１５ｄから通知された一括操作指示に従って、管理ポイントの発停や設定値を制御する。
【００３４】
図３は、一括操作ボックス表示部１５ｃの動作を示すフローチャートである。
表示部１２が施設のグラフィックス画面とシンボルと一括操作ボックス画面とを表示している状態で、グラフィックス画面上の任意のシンボルが一括操作ボックス画面にドラッグ・アンド・ドロップされると、一括操作ボックス表示部１５ｃは、そのドラッグ・アンド・ドロップ操作を受け付け（ステップＳＴ１“ＹＥＳ”）、ドラッグ・アンド・ドロップ操作されたシンボルに対応する管理ポイントの管理情報１４ｂを記憶部１４から読み出す（ステップＳＴ２）。
【００３５】
一括操作ボックス表示部１５ｃは、ステップＳＴ１でドラッグ・アンド・ドロップ操作されたシンボルが一括操作ボックス画面上最初のシンボルである場合（ステップＳＴ３“ＹＥＳ”）、このシンボルに対応する管理ポイントの種類に応じた操作ガイドを、一括操作ボックス画面上に表示する（ステップＳＴ４）。このシンボルが最初のシンボルでない場合（ステップＳＴ３“ＮＯ”）、一括操作ボックス表示部１５ｃは、ステップＳＴ４の処理をスキップする。
【００３６】
続いて一括操作ボックス表示部１５ｃは、ステップＳＴ１でドラッグ・アンド・ドロップ操作されたシンボルに対応する管理ポイントのグループ化を許可するか否かを判断する（ステップＳＴ５）。
一括操作ボックス表示部１５ｃは、このシンボルが最初のシンボルである場合にはグループ化を許可する。このシンボルが最初のシンボルでない場合、このシンボルに対応する管理ポイントの種類、状態、単位などを、一括操作ボックス画面の既にグループ化されている管理ポイントの種類、状態、単位などと比較して、グループ化を許可するか否かを判断する。
【００３７】
グループ化を許可する場合（ステップＳＴ５“ＹＥＳ”）、一括操作ボックス表示部１５ｃは、ステップＳＴ１でドラッグ・アンド・ドロップ操作されたシンボルに対応する管理ポイントの管理情報を一括操作ボックス画面上に表示する（ステップＳＴ６）。
一方、グループ化を許可しない場合（ステップＳＴ５“ＮＯ”）、一括操作ボックス表示部１５ｃは、操作員に対して誤操作の可能性を通知する（ステップＳＴ７）。
【００３８】
操作員は、この時点で、一旦グループ化された管理ポイントをグループから除外したい場合には、除外したい管理ポイントのシンボルを一括操作ボックス画面の外へドラッグ・アンド・ドロップする。一括操作ボックス表示部１５ｃは、上記のドラッグ・アンド・ドロップ操作を受け付けると、一括操作ボックス画面から外へ移動されたシンボルに対応する管理ポイントをグループから除外すると共に、一括操作ボックス画面上に表示していた管理情報を消す。
【００３９】
操作員によって一括操作ボックス画面上の操作ガイドが操作され、グループ化した１つ以上の管理ポイントに対して発停の操作や設定値の操作が一括して行われた場合、一括操作ボックス表示部１５ｃは、その一括操作指示を受け付け（ステップＳＴ８“ＹＥＳ”）、グループ化した１つ以上の管理ポイントの管理情報と操作指示内容を一括操作実行部１５ｄへ出力する（ステップＳＴ９）。この情報を受け取った一括操作実行部１５ｄは、コントローラ２０に指示して、グループ化した１つ以上の管理ポイントに対する発停の操作や設定値の操作を実行させる。
【００４０】
以上より、実施の形態１によれば、施設のグラフィックス画面を表示する施設図面表示部１５ａと、施設に存在する管理ポイントのシンボルをグラフィックス画面上に表示するシンボル表示部１５ｂと、管理ポイントを操作するための一括操作ボックス画面を表示し、操作員から、グラフィックス画面上に表示されたシンボルを一括操作ボックス画面へ移動する指示を受け付けると共に、当該移動する指示を受け付けた１つ以上のシンボルに対応する１つ以上の管理ポイントを一括で操作する指示を受け付ける一括操作ボックス表示部１５ｃとを備える構成にしたので、１つ以上の管理ポイントをまとめて操作できるようになる。よって、管理ポイントひとつひとつを操作する必要がなくなり、操作員の手間を軽減でき、作業効率を向上させることができる。また、一括操作する管理ポイントを予めグループ化しておく必要もない。
【００４１】
また、実施の形態１によれば、一括操作ボックス表示部１５ｃは、移動指示を受け付けた１つ以上のシンボルに対応する１つ以上の管理ポイントの中に、種類または現在の状態が異なるものが混在する場合、一括操作ボックス画面には移動せず、操作員に通知するようにしたので、操作員の誤操作を防止できる。
【００４２】
以上、本発明の実施形態を図面を参照して詳述してきたが、具体的な構成は、上述した実施の形態の構成に限られるものではなく、本発明の要旨を逸脱しない範囲の設計の変更などがあっても本発明に含まれることは言うまでもない。
【符号の説明】
【００４３】
１０  施設監視制御装置
１１  通信Ｉ／Ｆ部
１２  表示部
１３  入力部
１４  記憶部
１４ａ  表示情報
１４ｂ  管理情報
１５  制御部
１５ａ  施設図面表示部
１５ｂ  シンボル表示部
１５ｃ  一括操作ボックス表示部
１５ｄ  一括操作実行部
２０  コントローラ
２１〜２５  管理ポイント
１００  グラフィックス画面
２００，３００  一括操作ボックス画面
２０１，３０１  操作ガイド
【図１】
0006328041.tif 000002
【図２】
0006328041.tif 000003
【図３】
0006328041.tif 000004